【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
運用中のモバイルネットワークにおいてモバイルデバイスを有している加入者に対してマルチ国際移動加入者識別符号（マルチＩＭＳＩ）ソリューションを提供する方法であって、前記モバイルデバイスに、ＩＭＳＩとベースバンドコンポーネントとを有する加入者識別モジュール（ＳＩＭ）カードが設けられ、前記モバイルデバイスは、対応するベースバンドプロセッサを含んで、前記ＳＩＭカードが、ホームネットワークオペレータによって動作し、前記ベースバンドプロセッサを介して前記ＩＭＳＩに関係付けられるホームネットワークと通信することを可能にし、前記方法は、
前記ＳＩＭカードにＳＩＭカードオーバレイを設けることを含み、前記オーバレイは、前記ＳＩＭカードと前記モバイルデバイスのベースバンドプロセッサとの間のプロキシとして動作し、前記オーバレイは、スポンサーネットワークオペレータによって動作するスポンサーネットワークに関係付けられる主（「パイロット」）スポンサーＩＭＳＩを、起動時認証キー（Ｋｉ）とともに含み、前記方法はさらに、
前記モバイルデバイスが、いつ前記ホームネットワークから出て、前記スポンサーＩＭＳＩと関連付けられるスポンサーネットワークとの合意を有する外部のネットワーク内にローミングしたかを判断することと、
信号送信メッセージを生成することとを含み、前記スポンサーＩＭＳＩが、これらのメッセージを生成し、これらをマルチＩＭＳＩローミングハブプラットフォームに送信し、前記ローミングハブプラットフォームは各スポンサーネットワークに接続され、前記方法はさらに、
前記ホームネットワークには、前記ホームネットワークオペレータの前記ＩＭＳＩはあたかも前記ホームネットワークにおいて依然としてローミングしているようにみえるように、これらのメッセージを実時間で変換し、それらを前記ホームネットワークオペレータの前記ホームネットワークに中継することと、
起動プロセスを実行することを含み、当該起動プロセスは、前記オーバレイがまず前記ＳＩＭカード上にインストールされ、そして前記モバイルデバイスの電源がオンされるときに実行され、前記起動プロセスは、
前記スポンサーネットワークオペレータが確立されたローミング合意を適所に有する利用可能なモバイルネットワークに前記主スポンサーＩＭＳＩを呈示することと、
前記利用可能なモバイルネットワークからの認証要求に応答して、前記オーバレイ上に記憶される前記起動時Ｋｉを用いることと、
ここで前記起動時Ｋｉを含む認証要求を、前方への前記マルチＩＭＳＩローミングハブプラットフォームへの送信のために、前記スポンサーネットワークに転送することとを含む、方法。
【請求項２】
前記オーバレイは少なくとも１つの副スポンサーＩＭＳＩを含んでもよい、請求項１に記載の方法。
【請求項３】
前記主スポンサーＩＭＳＩを利用可能なモバイルネットワークに呈示する前記ステップは、前記オーバレイが前記主スポンサーＩＭＳＩを前記モバイルデバイスの前記ベースバンドプロセッサに呈示するステップを含み、次いで、前記主スポンサーＩＭＳＩを利用可能なモバイルネットワークに呈示することができる、請求項１に記載の方法。
【請求項４】
前記ローミングハブは、前記オーバレイが起動プロセスにあることを認識し、受信された認証要求を、前記マルチＩＭＳＩローミングハブプラットフォームと関連付けられるホーム・ロケーション・レジスタ（ＨＬＲ）に転送する、請求項３に記載の方法。
【請求項５】
前記マルチＩＭＳＩローミングハブプラットフォームと関連付けられる前記ＨＬＲは前記加入者に割当てられる前記起動時Ｋｉを識別しており、前記方法は、認証データを生成すること、および前記認証データを前記スポンサーネットワークにルーティングし戻すことをさらに含む、請求項４に記載の方法。
【請求項６】
前記起動プロセスは、下にあるＳＩＭカード上の前記ＩＭＳＩを読出すこと、および前記マルチＩＭＳＩローミングハブプラットフォームに向かってコマンドを送信して当該ＩＭＳＩを報告することを含む、請求項５に記載の方法。
【請求項７】
前記マルチＩＭＳＩローミングハブプラットフォームは、次いで、前記主スポンサーＩＭＳＩを、下にある元のＳＩＭカード上の前記ＩＭＳＩと対にする、請求項６に記載の方法。
【請求項８】
前記方法は、前記モバイルデバイスがその域内／ホームネットワークにあるかまたは域外／外部のネットワークにあるかどうかに依存した動作プロセスを含む、請求項１に記載の方法。
【請求項９】
その域内／ホームネットワークにあるとき、前記オーバレイは透過的に作用し、したがって前記ＳＩＭ上に含まれる前記ＩＭＳＩを前記モバイルデバイスに晒す、請求項８に記載の方法。
【請求項１０】
前記モバイルデバイスがその域内／ホームネットワークを出ると、前記オーバレイが自動的に引継ぎ、前記主スポンサーＩＭＳＩは元のＩＭＳＩの代りに前記モバイルデバイスに晒される、請求項８に記載の方法。
【請求項１１】
運用中のモバイルネットワークにおいてモバイルデバイスを有している加入者に対してマルチＩＭＳＩソリューションを提供するためのシステムであって、前記モバイルデバイスに、ＩＭＳＩとベースバンドコンポーネントとを有するＳＩＭカードが設けられ、前記モバイルデバイスは、対応するベースバンドプロセッサを含んで、前記ＳＩＭカードが、ホームネットワークオペレータによって動作され、前記ベースバンドプロセッサを介して前記ＩＭＳＩに関係付けられるホームネットワークと通信することを可能にするようにし、前記システムは、
前記ＳＩＭカードに設けることができるＳＩＭカードオーバレイを含み、前記オーバレイは、前記ＳＩＭカードと前記モバイルデバイスのベースバンドプロセッサとの間のプロキシとして動作し、前記オーバレイは、スポンサーネットワークオペレータによって動作するスポンサーネットワークに各々が関係付けられる主スポンサーＩＭＳＩを、起動時Ｋｉとともに含み、前記システムはさらに、
前記モバイルデバイスが、いつ前記ホームネットワークから出て、前記スポンサーＩＭＳＩと関連付けられるスポンサーネットワーク内にローミングしたかを判断するための手段と、
信号送信メッセージを生成および送信するための手段と、
前記信号送信メッセージを受信するためのマルチＩＭＳＩローミングハブプラットフォームとを含み、前記ローミングハブプラットフォームは各スポンサーネットワークに接続され、前記マルチＩＭＳＩローミングハブプラットフォームは、これらのメッセージを実時間で変換し、それらを前記ホームネットワークオペレータの前記ホームネットワークに中継するよう構成されるプロセッサを含み、したがって、前記ホームネットワークには、前記ホームネットワークオペレータの前記ＩＭＳＩはあたかも前記ホームネットワークにおいて依然としてローミングしているようにみえ、
前記ローミングハブプラットフォームは、前記オーバレイがいつ起動モードにあるかを認識でき、このモードにおいて、前記ローミングハブプラットフォームは、受信された認証要求を、前記マルチＩＭＳＩローミングハブプラットフォームと関連付けられるＨＬＲに転送するよう構成され、
前記マルチＩＭＳＩローミングハブプラットフォームと関連付けられる前記ＨＬＲは、前記加入者に割当てられる前記起動時Ｋｉを識別し、認証データを生成し、前記認証データを前記スポンサーネットワークにルーティングし戻す、システム。
【請求項１２】
前記起動モードでは、前記オーバレイは、下にあるＳＩＭカード上の前記ＩＭＳＩを読出し、前記マルチＩＭＳＩローミングハブプラットフォームに向かってコマンドを送信して当該ＩＭＳＩを報告する、請求項１１に記載のシステム。
【請求項１３】
前記マルチＩＭＳＩローミングハブプラットフォームは、前記主スポンサーＩＭＳＩを、下にある元のＳＩＭカード上の前記ＩＭＳＩと対にするよう構成される、請求項１２に記載のシステム。
【請求項１４】
前記ローミングハブプラットフォームは前記オーバレイがいつ動作モードにあるかを認識でき、このモードでは、前記モバイルデバイスが域外／外部のネットワークにあるとき、前記ローミングハブプラットフォームのプロセッサは、必要に応じて、さらなるＩＭＳＩを前記オーバレイ上に無線通信を経由して（ＯＴＡ）プロビジョニングして、最も経済的なスポンサーＩＭＳＩが前記モバイルデバイスによって訪問されている地域において用いられていることを確実にするよう構成される、請求項１３に記載のシステム。